【事件の表示】
　平成１１年特許願第３７７４５５号「吸収体及び該吸収体を使用するシーツ」拒絶査定不服審判事件〔平成１３年　７月１０日出願公開、特開２００１−１８７４３８〕について、次のとおり審決する。
【結　論】
　本件審判の請求は、成り立たない。
【理　由】
第１　手続の経緯
　本願は、平成１１年１２月３０日の出願であって、その手続の経緯の概要は、以下のとおりである。
・平成１２年３月１７日に手続補正書を提出
・平成１６年６月２２日付けで拒絶理由を通知
・平成１６年８月３０日に意見書及び手続補正書を提出
・平成１７年５月１１日付けで拒絶査定
・平成１７年６月１５日に拒絶査定に対する審判請求
・平成１７年７月１５日に手続補正書を提出
・平成１７年９月１３日に手続補正書を提出（審判請求書の請求の理由を補正）
・平成１７年１２月１２日付けで前置報告
・平成１９年９月４日付けで審尋
・平成１９年１１月１２日（差出日）に回答書を提出
　
　
第２　平成１７年７月１５日付けの手続補正についての補正の却下の決定
［補正の却下の決定の結論］　
　平成１７年７月１５日付けの手続補正を却下する。
［理由］
１　補正の内容
　平成１７年７月１５日付けの手続補正（以下、「本件補正」という。）は、本件補正前の特許請求の範囲に
「【請求項１】
上面を形成する上部吸水性紙層部と、下面を形成する下部吸水性紙層部と、前記上部及び下部吸水性紙層部間に配設され、３ｍｍ以下の粒度の繊維状の廃木材粒子を主として含有する廃木材粉砕物及び前記廃木材粉砕物より少ない量の高吸水性樹脂を含む吸水性混合層部とを備えており、前記上部吸水性紙層部、吸水性混合層部及び下部吸水性紙層部は、合わせられて一体に形成されていることを特徴とする吸収体。
【請求項２】 上面を形成する上部吸水性紙層部と、下面を形成する下部吸水性紙層部と、前記上部及び下部吸水性紙層部間に配設され、３ｍｍ以下の粒度の繊維状の廃木材粒子を主として含有する廃木材粉砕物及び前記廃木材粉砕物より少ない量の高吸水性樹脂を含む吸水性混合層部とを備えており、前記上部吸水性紙層部、吸水性混合層部及び下部吸水性紙層部は、合わせられて一体に形成されており、少なくともその一方の面に、３ｍｍ以上の大きさの複数の凹部又は凸部が形成されていることを特徴とする吸収体。
【請求項３】 上面を形成する上部吸水性紙層部と、下面を形成する下部吸水性紙層部と、前記上部及び下部吸水性紙層部間に配設され、３ｍｍ以下の粒度の繊維状の廃木材粒子を主として含有する廃木材粉砕物及び前記廃木材粉砕物より少ない量の高吸水性樹脂を含む吸水性混合層部とを備えており、前記上部吸水性紙層部、吸水性混合層部及び下部吸水性紙層部は、合わせられて一体に形成されており、前記上部吸水性紙層部、吸水性混合層部若しくは下部吸水性紙層部又はこれらの二以上には少なくとも一部に界面活性剤が含有されていることを特徴とする吸収体。
【請求項４】 上面を形成する上部吸水性紙層部と、下面を形成する下部吸水性紙層部と、前記上部及び下部吸水性紙層部間に配設され、３ｍｍ以下の粒度の繊維状の廃木材粒子を主として含有する廃木材粉砕物及び前記廃木材粉砕物より少ない量の高吸水性樹脂を含む吸水性混合層部とを備えており、前記上部吸水性紙層部、吸水性混合層部及び下部吸水性紙層部は、合わせられて一体に形成されており、少なくともその一方の面に、３ｍｍ以上の大きさの複数の凹部又は凸部が形成されており、前記上部吸水性紙層部、吸水性混合層部若しくは下部吸水性紙層部又はこれらの二以上には少なくとも一部に界面活性剤が含有されていることを特徴とする吸収体。
【請求項５】 上面を形成する上部吸水性紙層部と、下面を形成する下部吸水性紙層部と、前記上部及び下部吸水性紙層部間に配設されている中間吸水性紙層部と、前記上部吸水性紙層部及び中間吸水性紙層部の間に配設されている高吸水性樹脂層部と、前記中間吸水性紙層部及び下部吸水性紙層部間に配設され、５ｍｍ以下の粒度の繊維状の廃木材粒子を主として含有する廃木材粉砕物及び前記廃木材粉砕物より少ない量の高吸水性樹脂を含む吸水性混合層部とを備えており、前記上部吸水性紙層部、高吸水性樹脂層部、中間吸水性紙層部、吸水性混合層部及び下部吸水性紙層部は、合わせられて一体に形成されていることを特徴とする吸収体。
【請求項６】 上面を形成する上部吸水性紙層部と、下面を形成する下部吸水性紙層部と、前記上部及び下部吸水性紙層部間に配設されている中間吸水性紙層部と、前記上部吸水性紙層部及び中間吸水性紙層部の間に配設されている高吸水性樹脂層部と、前記中間吸水性紙層部及び下部吸水性紙層部間に配設され、５ｍｍ以下の粒度の繊維状の廃木材粒子を主として含有する廃木材粉砕物及び前記廃木材粉砕物より少ない量の高吸水性樹脂を含む吸水性混合層部とを備えており、前記上部吸水性紙層部、高吸水性樹脂層部、中間吸水性紙層部、吸水性混合層部及び下部吸水性紙層部は、合わせられて一体に形成されており、少なくともその一方の面に、３ｍｍ以上の大きさの複数の凹部又は凸部が形成されていることを特徴とする吸収体。
【請求項７】 上面を形成する上部吸水性紙層部と、下面を形成する下部吸水性紙層部と、前記上部及び下部吸水性紙層部間に配設されている中間吸水性紙層部と、前記上部吸水性紙層部及び中間吸水性紙層部の間に配設されている高吸水性樹脂層部と、前記中間吸水性紙層部及び下部吸水性紙層部間に配設され、５ｍｍ以下の粒度の繊維状の廃木材粒子を主として含有する廃木材粉砕物及び前記廃木材粉砕物より少ない量の高吸水性樹脂を含む吸水性混合層部とを備えており、前記上部吸水性紙層部、高吸水性樹脂層部、中間吸水性紙層部、吸水性混合層部及び下部吸水性紙層部は、合わせられて一体に形成されており、前記上部吸水性紙層部、高吸水性樹脂含有層部、中間吸水性紙層部、吸水性混合層部及び下部吸水性紙層部又はこれらの二以上には少なくとも一部に界面活性剤が含有されていることを特徴とする吸収体。
【請求項８】 上面を形成する上部吸水性紙層部と、下面を形成する下部吸水性紙層部と、前記上部及び下部吸水性紙層部間に配設されている中間吸水性紙層部と、前記上部吸水性紙層部及び中間吸水性紙層部の間に配設されている高吸水性樹脂層部と、前記中間吸水性紙層部及び下部吸水性紙層部間に配設され、３ｍｍ以下の粒度の繊維状の廃木材粒子を主として含有する廃木材粉砕物及び前記廃木材粉砕物より少ない量の高吸水性樹脂を含む吸水性混合層部とを備えており、前記上部吸水性紙層部、高吸水性樹脂含有層部、中間吸水性紙層部、吸水性混合層部及び下部吸水性紙層部は、合わせられて一体に形成されており、少なくともその一方の面に、３ｍｍ以上の大きさの複数の凹部又は凸部が形成されており、前記上部吸水性紙層部、高吸水性樹脂含有層部、中間吸水性紙層部、吸水性混合層部及び下部吸水性紙層部又はこれらの二以上には少なくとも一部に界面活性剤が含有されていることを特徴とする吸収体。
【請求項９】 上面を形成する上部吸水性紙層部と、下面を形成する下部吸水性紙層部と、前記上部及び下部吸水性紙層部間に配設されている中間吸水性紙層部と、上部吸水性紙層部及び中間吸水性紙層部の間に配設され、３ｍｍ以下の粒度の繊維状の廃木材粒子を主として含有する廃木材粉砕物前記廃木材粉砕物より少ない量の高吸水性樹脂を含む上部吸水性混合層部と、前記中間吸水性紙層部及び下部吸水性紙層部間に配設され、３ｍｍ以下の粒度の繊維状の廃木材粒子を主として含有する廃木材粉砕物並びに前記廃木材粉砕物より少ない量の高吸水性樹脂及び配合物質を含む下部吸水性混合層部とを備えており、前記上部吸水性紙層部、中間吸水性紙層部、上部吸水性混合層部、下部吸水性混合層部及び下部吸水性紙層部は、合わせられて一体に形成されていることを特徴とする吸収体。
【請求項１０】 上面を形成する上部吸水性紙層部と、下面を形成する下部吸水性紙層部と、前記上部及び下部吸水性紙層部間に配設されている中間吸水性紙層部と、上部吸水性紙層部及び中間吸水性紙層部の間に配設され、３ｍｍ以下の粒度の繊維状の廃木材粒子を主として含有する廃木材粉砕物及び前記廃木材粉砕物より少ない量の高吸水性樹脂を含む上部吸水性混合層部と、前記中間吸水性紙層部及び下部吸水性紙層部間に配設され、３ｍｍ以下の粒度の繊維状の廃木材粒子を主として含有する廃木材粉砕物及び前記廃木材粉砕物より少ない量の高吸水性樹脂を含む下部吸水性混合層部とを備えており、前記上部吸水性紙層部、中間吸水性紙層部、上部吸水性混合層部、下部吸水性混合層部及び下部吸水性紙層部は、合わせられて一体に形成されており、少なくともその一方の面に、３ｍｍ以上の大きさの複数の凹部又は凸部が形成されていることを特徴とする吸収体。
【請求項１１】 上面を形成する上部吸水性紙層部と、下面を形成する下部吸水性紙層部と、前記上部及び下部吸水性紙層部間に配設されている中間吸水性紙層部と、上部吸水性紙層部及び中間吸水性紙層部の間に配設され、３ｍｍ以下の粒度の繊維状の廃木材粒子を主として含有する廃木材粉砕物及び前記廃木材粉砕物より少ない量の高吸水性樹脂を含む上部吸水性混合層部と、前記中間吸水性紙層部及び下部吸水性紙層部間に配設され、３ｍｍ以下の粒度の繊維状の廃木材粒子を主として含有する廃木材粉砕物及び前記廃木材粉砕物より少ない量の高吸水性樹脂を含む下部吸水性混合層部とを備えており、前記上部吸水性紙層部、中間吸水性紙層部、上部吸水性混合層部、下部吸水性混合層部及び下部吸水性紙層部は、合わせられて一体に形成されており、前記上部吸水性紙層部、中間吸水性紙層部、上部吸水性混合層部、下部吸水性混合層部及び下部吸水性紙層部又はこれらの二以上には少なくとも一部に界面活性剤が含有されていることを特徴とする吸収体。
【請求項１２】 上面を形成する上部吸水性紙層部と、下面を形成する下部吸水性紙層部と、前記上部及び下部吸水性紙層部間に配設されている中間吸水性紙層部と、上部吸水性紙層部及び中間吸水性紙層部の間に配設され、３ｍｍ以下の粒度の繊維状の廃木材粒子を主として含有する廃木材粉砕物及び前記廃木材粉砕物より少ない量の高吸水性樹脂を含む上部吸水性混合層部と、前記中間吸水性紙層部及び下部吸水性紙層部間に配設され、３ｍｍ以下の粒度の繊維状の廃木材粒子を主として含有する廃木材粉砕物及び前記廃木材粉砕物より少ない量の高吸水性樹脂を含む下部吸水性混合層部とを備えており、前記上部吸水性紙層部、中間吸水性紙層部、上部吸水性混合層部、下部吸水性混合層部及び下部吸水性紙層部は合わせられて一体に形成されており、少なくともその一方の面に、３ｍｍ以上の大きさの複数の凹部又は凸部が形成されており、前記上部吸水性紙層部、中間吸水性紙層部、上部吸水性混合層部、下部吸水性混合層部若しくは下部吸水性紙層部又はこれらの二以上には少なくとも一部に界面活性剤が含有されていることを特徴とする吸収体。
【請求項１３】 上部吸水性紙層部若しくは下部吸水性紙層部又は前記上部吸水性紙層部及び下部吸水性紙層部には、その少なくとも一部に、着色性物質が含有されていることを特徴とする請求項１乃至１２の何れか一項に記載の吸収体。
【請求項１４】 上部吸水性紙層部、中間吸水性紙層部、上部吸水性混合層部、下部吸水性混合層部若しくは下部吸水性紙層部又はこれらの二以上には、その少なくとも一部に、殺菌性を有する物質が含有されていることを特徴とする請求項９乃至１２の何れか一項に記載の吸収体。
【請求項１５】 上部吸水性紙層部、中間吸水性紙層部、上部吸水性混合層部、下部吸水性混合層部若しくは下部吸水性紙層部又はこれらの二以上には、その少なくとも一部に、殺菌性を有する物質が含有されていることを特徴とする請求項９乃至１２の何れか一項に記載の吸収体。
【請求項１６】 高吸水性樹脂が、一種の高吸水性樹脂又は二種以上の高吸水性樹脂の混合物であることを特徴とする請求項１乃至１２の何れか一項に記載の吸収体。
【請求項１７】 高吸水性樹脂は、紙おむつ廃材、乳パッド廃材、尿パッド廃材、生理用ナプキン廃材若しくは高吸収性繊維廃材から分離回収された高吸水性樹脂又はこれら高吸水性樹脂の二以上の混合物であることを特徴とする請求項１乃至１２の何れか一項に記載の吸収体。
【請求項１８】 高吸水性樹脂又は高吸水性樹脂の混合物は、該吸水性混合層部に、該吸水性混合層部に対し、５重量パーセント未満の含有率で含有されていることを特徴とする請求項１乃至８の何れか一項に記載の吸収体。
【請求項１９】 高吸水性樹脂又は高吸水性樹脂の混合物は、上部吸水性混合層部若しくは下部吸水性混合層部又は上部吸水性混合層部及び下部吸水性混合層部に、該上部吸水性混合層部若しくは下部吸水性混合層部又は上部吸水性混合層部及び下部吸水性混合層部に対し、５重量パーセント未満の含有率で含有されることを特徴とする請求項９乃至１２の何れか一項に記載の吸収体。
【請求項２０】 高吸水性樹脂又は高吸水性樹脂の混合物は、該吸水性混合層部に、該吸水性混合層部に対し、３０重量パーセント以下の含有率で含有されていることを特徴とする請求項１乃至８の何れか一項に記載の吸収体。
【請求項２１】 高吸水性樹脂又は高吸水性樹脂の混合物は、上部吸水性混合層部若しくは下部吸水性混合層部又は上部吸水性混合層部及び下部吸水性混合層部に、該上部吸水性混合層部若しくは下部吸水性混合層部又は上部吸水性混合層部及び下部吸水性混合層部に対し、３０重量パーセント以下の含有率で含有されることを特徴とする請求項９乃至１２の何れか一項に記載の吸収体。
【請求項２２】 高吸水性樹脂が３０μｍ以下の平均粒度を有するものであることを特徴とする請求項１乃至１２及び請求項１６乃至２１の何れか一項に記載の吸収体。
【請求項２３】 高吸水性樹脂が２０μｍ以下の平均粒度を有するものであることを特徴とする請求項１乃至１２及び請求項１６乃至２１の何れか一項に記載の吸収体。
【請求項２４】 上面を形成する透水性薄層部と、下面を形成する透水性又は不透水性薄層部とを備え、前記上面を形成する透水性薄層部の下面に上面を接し、前記下面を形成する透水性又は不透水性薄層部の上面に下面を接して、請求項１乃至２３の何れか一項に記載の吸収体が設けられていることを特徴とするシーツ。
【請求項２５】 上面を形成する透水性薄層部は、乾式不織布又は湿式不織布で形成されていることを特徴とする請求項２４項に記載のシーツ。
【請求項２６】 下面を形成する不透水性薄層部は、プラスチックフィルム又は柔軟なプラスチックシートで形成されていることを特徴とする請求項２４項に記載のシーツ。
【請求項２７】 下面を形成する透水性薄層部が、複数の孔が形成されているプラスチックフィルム又は柔軟なプラスチックシートで形成されていることを特徴とする請求項２４項に記載のシーツ。
【請求項２８】 上面を形成する透水性薄層部と、下面を形成する透水性又は不透水性薄層部とを備え、前記透水性薄層部の下面に上面を接し、前記下面を形成する透水性又は不透水性薄層部の上面に下面を接して、請求項１乃至２３の何れか一項に記載の吸収体が設けられていることを特徴とする包装材料。
【請求項２９】 上面を形成する透水性薄層部は、乾式不織布又は湿式不織布で形成されていることを特徴とする請求項２８に記載の包装材料。
【請求項３０】 下面を形成する不透水性薄層部は、プラスチックフィルム又は柔軟なプラスチックシートで形成されていることを特徴とする請求項２８項に記載の包装材料。
【請求項３１】 下面を形成する透水性薄層部が、複数の孔が形成されているプラスチックフィルム又は柔軟なプラスチックシートで形成されていることを特徴とする請求項２８項に記載の包装材料。」
とあるのを、
「【請求項１】　上面を形成する上部吸水性紙層部と、下面を形成する下部吸水性紙層部と、前記上部及び下部吸水性紙層部間に配設され、３ｍｍ以下の粒度の繊維状の廃木材粒子を主として含有する廃木材粉砕物及び前記廃木材粉砕物より少ない量の高吸水性樹脂を含む吸水性混合層部とを備えており、前記上部吸水性紙層部、吸水性混合層部及び下部吸水性紙層部は、合わせられて一体に形成されており、少なくともその一方の面に、平面形状で半径が４乃至８ｍｍの円形を有する円筒状若しくは円錐状、平面形状で半径が一辺の長さが４乃至８ｍｍの四角形の角柱状若しくは角錐状又は平面形状で中心を横切る方向の長さが４乃至８ｍｍの多角形の角柱状若しくは角錐状の複数の突部、又は平面形状で半径が４乃至８ｍｍの円形を有する円筒状若しくは円錐状、平面形状で半径が一辺の長さが４乃至８ｍｍの四角形の角柱状若しくは角錐状又は平面形状で中心を横切る方向の長さが４乃至８ｍｍの多角形の角柱状若しくは角錐状の有底の穴状の複数の凹部が形成されていることを特徴とする吸収体。
【請求項２】　上面を形成する上部吸水性紙層部と、下面を形成する下部吸水性紙層部と、前記上部及び下部吸水性紙層部間に配設され、３ｍｍ以下の粒度の繊維状の廃木材粒子を主として含有する廃木材粉砕物及び前記廃木材粉砕物より少ない量の高吸水性樹脂を含む吸水性混合層部とを備えており、前記上部吸水性紙層部、吸水性混合層部及び下部吸水性紙層部は、合わせられて一体に形成されており、少なくともその一方の面に、平面形状で半径が４乃至８ｍｍの円形を有する円筒状若しくは円錐状、平面形状で半径が一辺の長さが４乃至８ｍｍの四角形の角柱状若しくは角錐状又は平面形状で中心を横切る方向の長さが４乃至８ｍｍの多角形の角柱状若しくは角錐状の複数の突部、又は平面形状で半径が４乃至８ｍｍの円形を有する円筒状若しくは円錐状、平面形状で半径が一辺の長さが４乃至８ｍｍの四角形の角柱状若しくは角錐状又は平面形状で中心を横切る方向の長さが４乃至８ｍｍの多角形の角柱状若しくは角錐状の有底の穴状の複数の凹部が形成されており、前記上部吸水性紙層部、吸水性混合層部若しくは下部吸水性紙層部又はこれらの二以上には少なくとも一部に界面活性剤が含有されていることを特徴とする吸収体。
【請求項３】　上面を形成する上部吸水性紙層部と、下面を形成する下部吸水性紙層部と、前記上部及び下部吸水性紙層部間に配設されている中間吸水性紙層部と、前記上部吸水性紙層部及び中間吸水性紙層部の間に配設されている高吸水性樹脂層部と、前記中間吸水性紙層部及び下部吸水性紙層部間に配設され、３ｍｍ以下の粒度の繊維状の廃木材粒子を主として含有する廃木材粉砕物及び前記廃木材粉砕物より少ない量の高吸水性樹脂を含む吸水性混合層部とを備えており、前記上部吸水性紙層部、高吸水性樹脂層部、中間吸水性紙層部、吸水性混合層部及び下部吸水性紙層部は、合わせられて一体に形成されており、少なくともその一方の面に、平面形状で半径が４乃至８ｍｍの円形を有する円筒状若しくは円錐状、平面形状で半径が一辺の長さが４乃至８ｍｍの四角形の角柱状若しくは角錐状又は平面形状で中心を横切る方向の長さが４乃至８ｍｍの多角形の角柱状若しくは角錐状の複数の突部、又は平面形状で半径が４乃至８ｍｍの円形を有する円筒状若しくは円錐状、平面形状で半径が一辺の長さが４乃至８ｍｍの四角形の角柱状若しくは角錐状又は平面形状で中心を横切る方向の長さが４乃至８ｍｍの多角形の角柱状若しくは角錐状の有底の穴状の複数の凹部が形成されていることを特徴とする吸収体。
【請求項４】　上面を形成する上部吸水性紙層部と、下面を形成する下部吸水性紙層部と、前記上部及び下部吸水性紙層部間に配設されている中間吸水性紙層部と、前記上部吸水性紙層部及び中間吸水性紙層部の間に配設されている高吸水性樹脂層部と、前記中間吸水性紙層部及び下部吸水性紙層部間に配設され、３ｍｍ以下の粒度の繊維状の廃木材粒子を主として含有する廃木材粉砕物及び前記廃木材粉砕物より少ない量の高吸水性樹脂を含む吸水性混合層部とを備えており、前記上部吸水性紙層部、高吸水性樹脂含有層部、中間吸水性紙層部、吸水性混合層部及び下部吸水性紙層部は、合わせられて一体に形成されており、少なくともその一方の面に、平面形状で半径が４乃至８ｍｍの円形を有する円筒状若しくは円錐状、平面形状で半径が一辺の長さが４乃至８ｍｍの四角形の角柱状若しくは角錐状又は平面形状で中心を横切る方向の長さが４乃至８ｍｍの多角形の角柱状若しくは角錐状の複数の突部、又は平面形状で半径が４乃至８ｍｍの円形を有する円筒状若しくは円錐状、平面形状で半径が一辺の長さが４乃至８ｍｍの四角形の角柱状若しくは角錐状又は平面形状で中心を横切る方向の長さが４乃至８ｍｍの多角形の角柱状若しくは角錐状の有底の穴状の複数の凹部が形成されており、前記上部吸水性紙層部、高吸水性樹脂含有層部、中間吸水性紙層部、吸水性混合層部及び下部吸水性紙層部又はこれらの二以上には少なくとも一部に界面活性剤が含有されていることを特徴とする吸収体。
【請求項５】　上面を形成する上部吸水性紙層部と、下面を形成する下部吸水性紙層部と、前記上部及び下部吸水性紙層部間に配設されている中間吸水性紙層部と、上部吸水性紙層部及び中間吸水性紙層部の間に配設され、３ｍｍ以下の粒度の繊維状の廃木材粒子を主として含有する廃木材粉砕物及び前記廃木材粉砕物より少ない量の高吸水性樹脂を含む上部吸水性混合層部と、前記中間吸水性紙層部及び下部吸水性紙層部間に配設され、３ｍｍ以下の粒度の繊維状の廃木材粒子を主として含有する廃木材粉砕物及び前記廃木材粉砕物より少ない量の高吸水性樹脂を含む下部吸水性混合層部とを備えており、前記上部吸水性紙層部、中間吸水性紙層部、上部吸水性混合層部、下部吸水性混合層部及び下部吸水性紙層部は、合わせられて一体に形成されており、少なくともその一方の面に、平面形状で半径が４乃至８ｍｍの円形を有する円筒状若しくは円錐状、平面形状で半径が一辺の長さが４乃至８ｍｍの四角形の角柱状若しくは角錐状又は平面形状で中心を横切る方向の長さが４乃至８ｍｍの多角形の角柱状若しくは角錐状の複数の突部、又は平面形状で半径が４乃至８ｍｍの円形を有する円筒状若しくは円錐状、平面形状で半径が一辺の長さが４乃至８ｍｍの四角形の角柱状若しくは角錐状又は平面形状で中心を横切る方向の長さが４乃至８ｍｍの多角形の角柱状若しくは角錐状の有底の穴状の複数の凹部が形成されていることを特徴とする吸収体。
【請求項６】　上面を形成する上部吸水性紙層部と、下面を形成する下部吸水性紙層部と、前記上部及び下部吸水性紙層部間に配設されている中間吸水性紙層部と、上部吸水性紙層部及び中間吸水性紙層部の間に配設され、３ｍｍ以下の粒度の繊維状の廃木材粒子を主として含有する廃木材粉砕物及び前記廃木材粉砕物より少ない量の高吸水性樹脂を含む上部吸水性混合層部と、前記中間吸水性紙層部及び下部吸水性紙層部間に配設され、３ｍｍ以下の粒度の繊維状の廃木材粒子を主として含有する廃木材粉砕物及び前記廃木材粉砕物より少ない量の高吸水性樹脂を含む下部吸水性混合層部とを備えており、前記上部吸水性紙層部、中間吸水性紙層部、上部吸水性混合層部、下部吸水性混合層部及び下部吸水性紙層部は合わせられて一体に形成されており、少なくともその一方の面に、平面形状で半径が４乃至８ｍｍの円形を有する円筒状若しくは円錐状、平面形状で半径が一辺の長さが４乃至８ｍｍの四角形の角柱状若しくは角錐状又は平面形状で中心を横切る方向の長さが４乃至８ｍｍの多角形の角柱状若しくは角錐状の複数の突部、又は平面形状で半径が４乃至８ｍｍの円形を有する円筒状若しくは円錐状、平面形状で半径が一辺の長さが４乃至８ｍｍの四角形の角柱状若しくは角錐状又は平面形状で中心を横切る方向の長さが４乃至８ｍｍの多角形の角柱状若しくは角錐状の有底の穴状の複数の凹部が形成されており、前記上部吸水性紙層部、中間吸水性紙層部、上部吸水性混合層部、下部吸水性混合層部若しくは下部吸水性紙層部又はこれらの二以上には少なくとも一部に界面活性剤が含有されていることを特徴とする吸収体。
【請求項７】　上部吸水性紙層部若しくは下部吸水性紙層部又は前記上部吸水性紙層部及び下部吸水性紙層部には、その少なくとも一部に、着色性物質が含有されていることを特徴とする請求項１乃至６の何れか一項に記載の吸収体。
【請求項８】　上部吸水性紙層部、中間吸水性紙層部、上部吸水性混合層部、下部吸水性混合層部若しくは下部吸水性紙層部又はこれらの二以上には、その少なくとも一部に、殺菌性を有する物質が含有されていることを特徴とする請求項５又は６に記載の吸収体。
【請求項９】　上部吸水性紙層部、中間吸水性紙層部、上部吸水性混合層部、下部吸水性混合層部若しくは下部吸水性紙層部又はこれらの二以上には、その少なくとも一部に、殺菌性を有する物質が含有されていることを特徴とする請求項５又は６に記載の吸収体。
【請求項１０】　高吸水性樹脂が、一種の高吸水性樹脂又は二種以上の高吸水性樹脂の混合物であることを特徴とする請求項１乃至６の何れか一項に記載の吸収体。
【請求項１１】　高吸水性樹脂は、紙おむつ廃材、乳パッド廃材、尿パッド廃材、生理用ナプキン廃材若しくは高吸収性繊維廃材から分離回収された高吸水性樹脂又はこれら高吸水性樹脂の二以上の混合物であることを特徴とする請求項１乃至１２の何れか一項に記載の吸収体。
【請求項１２】　高吸水性樹脂又は高吸水性樹脂の混合物は、該吸水性混合層部に、該吸水性混合層部に対し、５重量パーセント未満の含有率で含有されていることを特徴とする請求項１乃至４の何れか一項に記載の吸収体。
【請求項１３】　高吸水性樹脂又は高吸水性樹脂の混合物は、上部吸水性混合層部若しくは下部吸水性混合層部又は上部吸水性混合層部及び下部吸水性混合層部に、該上部吸水性混合層部若しくは下部吸水性混合層部又は上部吸水性混合層部及び下部吸水性混合層部に対し、５重量パーセント未満の含有率で含有されることを特徴とする請求項５又は６に記載の吸収体。
【請求項１４】　高吸水性樹脂又は高吸水性樹脂の混合物は、該吸水性混合層部に、該吸水性混合層部に対し、３０重量パーセント以下の含有率で含有されていることを特徴とする請求項１乃至４の何れか一項に記載の吸収体。
【請求項１５】　高吸水性樹脂又は高吸水性樹脂の混合物は、上部吸水性混合層部若しくは下部吸水性混合層部又は上部吸水性混合層部及び下部吸水性混合層部に、該上部吸水性混合層部若しくは下部吸水性混合層部又は上部吸水性混合層部及び下部吸水性混合層部に対し、３０重量パーセント以下の含有率で含有されることを特徴とする請求項９乃至１２の何れか一項に記載の吸収体。
【請求項１６】　高吸水性樹脂が３０μｍ以下の平均粒度を有するものであることを特徴とする請求項１乃至６及び請求項１０乃至１５の何れか一項に記載の吸収体。
【請求項１７】　高吸水性樹脂が２０μｍ以下の平均粒度を有するものであることを特徴とする請求項１乃至６及び請求項１０乃至１５の何れか一項に記載の吸収体。
【請求項１８】　上面を形成する透水性薄層部と、下面を形成する透水性又は不透水性薄層部とを備え、前記上面を形成する透水性薄層部の下面に上面を接し、前記下面を形成する透水性又は不透水性薄層部の上面に下面を接して、請求項１乃至１７の何れか一項に記載の吸収体が設けられていることを特徴とするシーツ。
【請求項１９】　上面を形成する透水性薄層部は、乾式不織布又は湿式不織布で形成されていることを特徴とする請求項１８に記載のシーツ。
【請求項２０】　下面を形成する不透水性薄層部は、プラスチックフィルム又は柔軟なプラスチックシートで形成されていることを特徴とする請求項１８に記載のシーツ。
【請求項２１】　下面を形成する透水性薄層部が、複数の孔が形成されているプラスチックフィルム又は柔軟なプラスチックシートで形成されていることを特徴とする請求項１８に記載のシーツ。
【請求項２２】　上面を形成する透水性薄層部と、下面を形成する透水性又は不透水性薄層部とを備え、前記透水性薄層部の下面に上面を接し、前記下面を形成する透水性又は不透水性薄層部の上面に下面を接して、請求項１乃至１７の何れか一項に記載の吸収体が設けられていることを特徴とする包装材料。
【請求項２３】　上面を形成する透水性薄層部は、乾式不織布又は湿式不織布で形成されていることを特徴とする請求項２２に記載の包装材料。
【請求項２４】　下面を形成する不透水性薄層部は、プラスチックフィルム又は柔軟なプラスチックシートで形成されていることを特徴とする請求項２２に記載の包装材料。
【請求項２５】　下面を形成する透水性薄層部が、複数の孔が形成されているプラスチックフィルム又は柔軟なプラスチックシートで形成されていることを特徴とする請求項２８項に記載の包装材料。」
とし、さらに、発明の詳細な説明の段落【０００８】〜段落【００１２】の記載を特許請求の範囲の記載と整合させる補正である。
　
２　補正の適否
　本件補正のうち、特許請求の範囲についてする補正は、補正前の請求項１、３、５、７、９及び１１を削除するとともに、請求項の削除に伴う請求項番号の繰上げと引用する請求項の整理を行い、さらに、補正前の請求項２、４、６、８、１０及び１２に係る発明を特定するために必要な事項である「３ｍｍ以上の大きさの複数の凹部又は凸部」について、その形状及び大きさを「平面形状で半径が４乃至８ｍｍの円形を有する円筒状若しくは円錐状、平面形状で半径が一辺の長さが４乃至８ｍｍの四角形の角柱状若しくは角錐状又は平面形状で中心を横切る方向の長さが４乃至８ｍｍの多角形の角柱状若しくは角錐状の複数の突部、又は平面形状で半径が４乃至８ｍｍの円形を有する円筒状若しくは円錐状、平面形状で半径が一辺の長さが４乃至８ｍｍの四角形の角柱状若しくは角錐状又は平面形状で中心を横切る方向の長さが４乃至８ｍｍの多角形の角柱状若しくは角錐状の有底の穴状の複数の凹部」とするものである。
　そして、このような形状及び大きさについてする補正は、願書に最初に添付した明細書又は図面（以下、「当初明細書等」という。）における発明の詳細な説明の段落【００１９】及び段落【００２１】などの記載からみて、当初明細書等に記載した事項の範囲内においてしたものということができるから、本件補正は、平成１４年法律第２４号による改正前の特許法第１７条の２第３項に規定する要件を満たすものである。
　また、本件補正のうち特許請求の範囲についてする補正は、平成１８年法律第５５号による改正前の特許法第１７条の２第４項第１号に掲げる「請求項の削除」及び平成１８年法律第５５号による改正前の特許法第１７条の２第４項第２号に掲げる「特許請求の範囲の減縮」を目的とするもので、平成１８年法律第５５号による改正前の特許法第１７条の２第４項第１号及び第２号に規定する要件を満たすものである。
　さらに、本件補正のうち特許請求の範囲についてする補正が、平成１８年法律第５５号による改正前の特許法第１７条の２第４項第２号に掲げる「特許請求の範囲の減縮」を目的とするものであることから、本件補正後における特許請求の範囲に記載されている事項により特定される発明が特許出願の際独立して特許を受けることができるものであるかについて検討すると、本件補正後における特許請求の範囲に記載されている事項により特定される発明は、下記「３　特許出願の際独立して特許を受けることができるものでない理由」に記載したとおり、特許出願の際独立して特許を受けることができるものでない。
　
３　特許出願の際独立して特許を受けることができるものでない理由
３−１　この出願は、明細書の特許請求の範囲の記載が下記（１）〜（３）の点で、「特許を受けようとする発明が明確であること。」との要件に適合しないから、平成１４年法律第２４号による改正前の特許法第３６条第６項第２号に規定する要件を満たしていない。
（１）　本件補正後における特許請求の範囲の請求項１〜６における、「平面形状で半径が４乃至８ｍｍの円形を有する円筒状若しくは円錐状・・・の複数の突部」及び「平面形状で半径が４乃至８ｍｍの円形を有する円筒状若しくは円錐状・・・の有底の穴状の複数の凹部」との規定は、具体的にどのような突部又は凹部の形状を指すのかが明確でない。
　すなわち、「平面形状で・・・円形を有する円筒状・・・の突部（凹部）」との規定は、そもそも日本語として明確でないし、また、「平面形状で」との規定の技術的意味が明確でないから、突部又は凹部の具体的形状が明確でない。
　なお、この点、この出願の願書に最初に添付した明細書には、「３ｍｍ以上の大きさの複数の凹部又は凸部が形成されている」（【請求項２】）、「吸収体の表面に孤立して形成される例えば複数の穴状の凹部即ち窪みまた凸部即ち突起の夫々の大きさは、例えば平面における突起又は窪みの形状を円形とする場合では、直径１乃至１２ｍｍ好ましくは直径４乃至８ｍｍの円形状の基部を有する山形の突起、直径２乃至１２ｍｍ好ましくは直径４乃至８ｍｍの円筒又は直径４乃至８ｍｍの円形状の窪みとすることができ」（段落【００１９】）及び「本発明において、凸部は、円筒状、円錐状、角柱状又は角錐状の突起或いは畝状の突出部又は凸条に形成することができ、これに対し、凹部は、円筒状、円錐状、角柱状又は角錐状の有底の穴或いは溝に形成することができる。」（段落【００２１】）と記載されているだけである。
（２）　本件補正後における特許請求の範囲の請求項１〜６における、「平面形状で半径が一辺の長さが４乃至８ｍｍの四角形の角柱状若しくは角錐状・・・の複数の突部」及び「平面形状で半径が一辺の長さが４乃至８ｍｍの四角形の角柱状若しくは角錐状・・・の有底の穴状の複数の凹部」との規定は、具体的にどのような突部又は凹部の形状を指すのかが明確でない。
　そもそも、「半径が一辺の長さが・・・の四角形」との規定は、その意味が明確でなく、また、「一辺」が四角形（正方形だけではなく、任意の四角形を指すと解するのが自然であり、そして、溝形状の長方形も四角形である。）のどの辺を指し、他の辺との関係がどのようなものであるのかが明確でなく、そして、「平面形状で・・・四角形の角柱状若しくは角錐状・・・の突部（凹部）」との規定については、上記（１）において「平面形状で・・・円形を有する円筒状・・・の突部（凹部）」との規定についてした指摘と同様の理由で明確でないから、結局、具体的にどのような突部又は凹部の形状を指すのかが明確でない。
（３）　本件補正後における特許請求の範囲の請求項１〜６における、「平面形状で中心を横切る方向の長さが４乃至８ｍｍの多角形の角柱状若しくは角錐状の複数の突部」及び「平面形状で中心を横切る方向の長さが４乃至８ｍｍの多角形の角柱状若しくは角錐状の有底の穴状の複数の凹部」との規定は、具体的にどのような突部又は凹部の形状を指すのかが明確でない。
　そもそも、「平面上で中心を横切る方向」との規定は、「中心」が何を意味し「横切る方向」がどのような方向であるのかが明確でなく、また、「多角形」と「四角形」との関係も明確でなく、そして、「平面形状で・・・多角形の角柱状若しくは角錐状・・・の突部（凹部）」との規定については、上記（１）において「平面形状で・・・円形を有する円筒状・・・の突部（凹部）」との規定についてした指摘と同様の理由で明確でないから、結局、具体的にどのような突部又は凹部の形状を指すのかが明確でない。
　
３−２　本件補正後の請求項１に係る発明（以下、「本件補正発明」という。）は、その出願前日本国内又は外国において頒布された下記の刊行物１、７、８及び９に記載された発明に基いて、その出願前にその発明の属する技術の分野における通常の知識を有する者（以下、「当業者」という。）が容易に発明をすることができたものであるから、特許法第２９条第２項の規定により特許を受けることができない。
（１）　刊行物
刊行物１：特開平１０−３３７２３８号公報
刊行物７：特開平６−３９号公報
刊行物８：特開平１１−３０８９３５号公報
刊行物９：特開平５−２１１８２５号公報
（２）　刊行物に記載されている事項
ア　刊行物１：特開平１０−３３７２３８号公報
（ア−１）
「【請求項６】  上面を形成する透水性の多孔層部と、下面を形成するプラスチック製の不透水性膜部と、前記多孔層部の下面に接して位置する吸水性の第一紙層部と、該第一紙層部の下面に接して位置する吸水性樹脂及び吸水性材料粉の混合層部と、該混合層部の下面に接して位置する吸水性の第二紙層部とを備えており、前記不透水性膜部は、前記第二紙層部の下方に位置して配置されており、前記第一紙層部、前記混合層部及び第二紙層部の中の少なくとも何れか一つの層部に、焙煎コーヒー豆のコーヒー液抽出残渣についての抽出液の乾燥物が含まれていることを特徴とする衛生シーツ。
【請求項７】  −略−
【請求項８】  吸水性材料粉が、木材パルプの粉砕物、古紙パルプの粉砕物、木粉、紙粉、紙おむつ廃材粉砕物、チタン紙又はパンチ屑などの屑紙の粉砕物或いはそれらの二以上の混合物であることを特徴とする請求項３乃至７の何れか一項に記載の衛生シーツ。」（【特許請求の範囲】の【請求項６】〜【請求項８】）
（ア−２）
「【００１５】本発明において、吸水性樹脂は、比較的吸水性能の小さい吸水性樹脂及び吸水性能の高い高吸水性樹脂を意味する。しかし、吸水性の高いものを使用すると、使用量を少なくできるので好ましい。また吸水性材料は、比較的高い吸水性を有する、機械パルプ、化学パルプ、セミケミカルパルプ、綿状パルプ等の木材パルプの粉砕物、古紙パルプの粉砕物、木粉、紙粉、紙おむつ廃材粉砕物、チタン紙又はパンチ屑などの屑紙の粉砕物或いはそれらの二以上の混合物である。これらの吸水性材料は、５ｍｍ以下の粒度、好ましくは３ｍｍ以下の粒度とするのが好ましい。」（段落【００１５】）
（ア−３）
「【００２０】本発明において、シーツの吸水性混合層部には、紙おむつ、生理用ナプキンや動物用シーツに、吸水性を保持させるために、高吸水性樹脂が配合された紙粉や綿状パルプが使用される。この場合の高吸水性樹脂の使用量は、生理用ナプキン及び動物用シーツの場合で、全量に対し、５乃至１５重量％、好ましくは、７乃至１０重量％であり、紙おむつの場合で、全量に対し、２０〜３０重量部％、好ましくは２４乃至２７重量％である。」（段落【００２０】）
（ア−４）
「【００２２】本発明において、高吸水性樹脂は、例えば、不良品としての紙おむつ又は生理用ナプキン、紙おむつ又は生理用ナプキン裁断屑、紙おむつ廃材から回収された高吸水性樹脂含有物を使用することができる。このような回収された高吸水性樹脂は、人工尿に対して、吸水倍率が１０〜３０ｇ／ｇとその吸水性能は乏しいが、動物用シーツでは、この程度の吸水効果で十分使用できることがわかった。使用する高吸水性樹脂の粒度は、５０乃至５００μｍであるのが好ましい。」（段落【００２２】）
（ア−５）
「【００２５】
【実施例】以下、本発明の実施の態様の例を説明するが、本発明は、以下の説明及び例示によって何等制限されるものではない。図１は、本発明の一実施例の動物用シーツの説明図である。図２は本発明の別の一実施例の動物用シーツの説明図である。図３は、本発明の動物用シーツを製造する工程を示す概略の工程図である。図１乃至図３において対応する箇所には同一の符号が付されている。
【００２６】・・・
【００２７】図２に示す例において、動物用シーツ１は、ポリエチレンフィルム２（３重量部）の上に、吸水紙４（２．１重量部）が配置され、その上に綿状パルプ６（１６．９重量部）が配置され、その上に、高吸水性樹脂７（３重量部）が配置され、その上に焙煎コーヒー豆のコーヒー液抽出残渣の再抽出液の乾燥物を含む印刷インキが印刷されている吸水紙４（４．７重量部）が配置され、その上を、ポリプロピレン不織布５（２．２重量部）で覆い、ポリプロピレン不織布５の端部は、最下層のポレエチレンフィルム２の端部とホットメルト接着剤を介してホットメルト接着されている。
【００２８】・・・
【００２９】図３において、吸水紙４のロール８は、吸水紙送り出しローラ９により引き出されて、綿状パルプ６の供給ローラ１０に送られて、粉砕機１１で粉砕された綿状パルプ６が供給される。綿状パルプ６が供給された吸水紙４は、吸水紙４上の綿状パルプ６の量が一定となるように調整されている。・・・。焙煎コーヒー豆のコーヒー液抽出残渣の再抽出液が噴霧された吸水紙４は、高吸水性樹脂７の散布箇所１４に送られる。高吸水性樹脂７の散布箇所１４に送られた焙煎コーヒー豆のコーヒー液抽出残渣の再抽出液が噴霧された吸水紙４には、高吸水性樹脂７が散布機１５から散布される。
【００３０】高吸水性樹脂７が散布された吸水紙４は、上側吸水紙４の供給箇所１６に送られて、吸水紙４のロール８から上方に吸水紙４が載せられる。上下に吸水紙４が配置された積層帯状物１７は、エンボス機１８に送られてエンボスが形成される。エンボスが形成された積層帯状物は１７は、マットカッター１９に送られて、長さ４５０ｍｍの積層物に切断される。切断された積層物の下方には、下方からポレエチレンフィルム２がポレエチレンフィルム２のロール２０から供給され、積層物は、ポレエチレンフィルム２の上に載せられて、ポリプロピレン不織布５を被せる箇所２１に送られる。」（【実施例】中の段落【００２９】〜段落【００３０】）
（ア−６）
「【図面の簡単な説明】
【図１】本発明の一実施例の動物用シーツの説明図である。
【図２】発明の別の一実施例の動物用シーツの説明図である。
【図３】本発明の動物用シーツを製造する工程を示す概略の工程図である。
【符号の説明】
１  動物用シーツ
２  ポレエチレンフィルム
３  高吸水性ポリマーシート
４  吸水紙
５  ポリプロピレン不織布
６  綿状パルプ
７  高吸水性樹脂
８  吸水紙４のロール
９  吸水紙送り出しローラ
１０  綿状パルプの供給ローラ
１１  粉砕機
１２  焙煎コーヒー豆のコーヒー液抽出残渣の再抽出液の噴霧箇所
１３  焙煎コーヒー豆のコーヒー液抽出残渣の再抽出液の噴霧器
１４  高吸水性樹脂７の散布箇所
１５  散布機
１６  上側吸水紙４の供給箇所
１７  積層帯状物１６
１８  エンボス機
１９  マットカッター
２０  ポレエチレンフィルム２のロール
２１  ポリプロピレン不織布５を被せる箇所
２２  ポリプロピレン不織布のロール
２３  ホットメルト接着剤噴霧器
２４  サイドシール器
２５  エンドシール機
２６  製品カッター」（【図面の簡単な説明】）
（ア−７）
「【図２】
」（図２）
（ア−８）
「【図３】
」（図３）
イ　刊行物７：特開平６−３９号公報
（イ−１）
「【請求項１】ａ）セルロース、セルロース誘導体及び／又はセルロース含有材料、
ｂ）増量剤
ｃ）増粘剤及び／又は結合剤
を包含し、かつ嵩密度が約５００ｋｇ／ｍ３を上まわり、かつ粒度が１ｍｍを上まわる粒子の形で存在する動物用敷きわら。
【請求項２】　　セルロース含有材料を含有する請求項１記載の動物用敷きわら。」（【特許請求の範囲】の【請求項１】及び【請求項２】）
（イ−２）
【００３５】該方法への適用のために予定されているセルロース、セルロース誘導体もしくはセルロース含有材料の粒度が、記載したように１ｍｍより下まわる、有利には０．５ｍｍより下まわる、例えば０．１ｍｍと０．３ｍｍの間にまだなく、かつこれらが例えば木材、木片又は古いパレットである場合、この材料を本発明方法における適用の前に、例えばのこぎりで挽くとか、又は細かく切断する。
（イ−３）
「【００４０】それぞれの由来により異なる鎖長の異なる源のセルロースを本発明による製法において使用することができる。天然の、又は産業上製造した親水性セルロース誘導体、例えばパルプ、ヘミセルロース又はアルカリセルロースも使用することができる。
【００４１】植物性の、農業上の又は産業上の由来のセルロース及び／又はセルロース誘導体を含有する材料を有利に使用する。木材、木工の生成物、例えば厚紙、接着した木材、へぎ板、枕木を特に使用する。更に、使用可能であるのは木材様物質、例えばわら及びこれから派生したもの、デンプン製造の残分、砂糖産業の残分である。
【００４２】セルロースを含有する材料、特に木材、木材加工製品又はわらを使用するのが有利である。
【００４３】特にセルロース又はセルロース含有材料の農業上の又は産業上の加工において残分又は廃棄物として生じるか、又は有価物質回収、例えば木片、へぎ板片又は合版片、木くず、のこくずのような廃棄物、紙産業、合料品産業の廃棄物、使用済木製品、例えば古いパレット、木箱、家具、へぎ板、折れた木材、枕木又は例えば使用済のセルロースを基礎とするフィルター助剤から由来するセルロース、セルロース誘導体及び／又はセルロース含有材料を使用するのが特に有利である。」（段落【００４０】〜段落【００４３】）
ウ　刊行物８：特開平１１−３０８９３５号公報
（ウ−１）
「【０００３】
【発明が解決しようとする課題】木粉は製材所などから、製材の過程で発生し、その量は膨大な量に上っており、その多くが、産業廃棄物として捨てられており、その扱いが製材産業の課題の一となっている。本発明は、木粉、殊にヒノキチオールを成分として含有する木粉が、保水機能を有する点に着目したもので、従来の動物排泄物処理材の問題点と木粉の産業廃棄物として問題点を解決することを目的としている。
【０００４】
【課題を解決するための手段】本発明は、動物が排泄した尿の吸収及び保水性が良く、排泄物に接して塊状化でき、また焼却でき、産業廃棄物の木粉を有効に利用できる動物の排泄物処理材を提供することを目的としている。即ち、本発明は、ヒノキチオールを含有する木粉を主として含有し、１ミリメートル以上の粒径を有している乾燥造粒物であることを特徴とする動物の排泄物処理材にあり、また、本発明は、ヒノキチオールを含有する木粉並びに該ヒノキチオールを含有する木粉より少ない量の配合物質を含有し、１ミリメートル以上の粒径を有している乾燥造粒物であることを特徴とする動物の排泄物処理材にある。」（【０００３】〜【０００４】）
エ　刊行物９：特開平５−２１１８２５号公報
（エ−１）
「【請求項１】  水不不溶性の高吸収水性樹脂粉末５〜３０重量％と木粉５０重量％以上との混合物を水分存在下に混練し粒状に成形して乾燥してなる事を特徴とするペットの液状排泄物処理材。」（【特許請求の範囲】の【請求項１】）
（エ−２）
「【０００９】吸水性樹脂の配合量が５重量％以下であると吸液性が低下し、３０重量％以上になると成形粒子の中心部への液体の浸透性が悪くなる。木粉としては使用する木粉の木種はとくに限定はない。通常の市販されている物または、材木加工業等にて廃棄される木粉（本くず）等を利用すればより低コストになる。木粉の長さ（大きさ）は０．０１ｍｍ程度の粉末状の物がよい。」（段落【０００９】）
　
３　判断
ア　刊行物１に記載された発明　
　上記摘示（ア−１）には、「上面を形成する透水性の多孔層部と、下面を形成するプラスチック製の不透水性膜部と、前記多孔層部の下面に接して位置する吸水性の第一紙層部と、該第一紙層部の下面に接して位置する吸水性樹脂及び吸水性材料粉の混合層部と、該混合層部の下面に接して位置する吸水性の第二紙層部とを備えており、前記不透水性膜部は、前記第二紙層部の下方に位置して配置されており、前記第一紙層部、前記混合層部及び第二紙層部の中の少なくとも何れか一つの層部に、焙煎コーヒー豆のコーヒー液抽出残渣についての抽出液の乾燥物が含まれていることを特徴とする衛生シーツ」について記載されており、このような衛生シーツは、摘示（ア−８）に図３に概略として示され、摘示（ア−５）に記載される工程、すなわち、吸水性の第二紙層部の上に、吸水性樹脂及び吸水性材料粉の混合層部を配設し、この上に吸水性の第一紙層部を設けて一体として積層帯状物とし、該積層帯状物をエンボス機に送りエンボス形成した後切断し、切断後の積層物を不透水性膜部に載せ、さらに、透水性の多孔層を被せることにより得られるものである。
　ここで、エンボス形成した後切断して得られた積層物は、吸水性の第一の紙層部、吸水性の第二紙層部、第一紙層部と第二紙層部との間に配設された吸水性樹脂及び吸水性材料粉の混合層部、とを備え、これらが合わせられて一体に形成されたものであって、これは、衛生シーツにおける吸収部として独立して形成されるものであり、そして、積層物の少なくともその一方の面にエンボスが形成されたものということができる。
　そうすると、刊行物１には、
「吸水性の第二紙層部の上に、吸水性樹脂及び吸水性材料粉の混合層部を配設し、この上に吸水性の第一紙層部を設けて一体として積層帯状物とし、該積層帯状物をエンボス機に送り少なくとも一方の面にエンボスを形成した後切断して得られる積層物」
に係る発明（以下、「引用発明」という。）が記載されているということができる。
イ　対比
　本件補正発明と引用発明とを対比する。
　引用発明における「吸水性の第二紙層部」、「混合層部」及び「吸水性の第一紙層部」は、本件補正発明における「下面を形成する下部吸水性紙層部」、「吸水性混合層部」及び「上面を形成する上部吸水性紙層部」にそれぞれ相当する。
　また、引用発明における「積層帯状物」及びそれを切断した「積層物」は、いずれも本件補正発明における「吸収体」に相当する。
　そうすると、本件補正発明と引用発明とは、
「上面を形成する上部吸水性紙層部と、下面を形成する下部吸水性紙層部と、前記上部及び下部吸水性紙層部間に配設される吸水性混合層部とを備えており、前記上部吸水性紙層部、吸水性混合層部及び下部吸水性紙層部は、合わせられて一体に形成されており、少なくともその一方の面にエンボスが形成されていることを特徴とする吸収体。」
である点で一致し、以下の（ア）〜（イ）の点で相違する。
（ア）　上部及び下部吸水性紙層部間に配設される吸水性混合層部について、本件補正発明は、「３ｍｍ以下の粒度の繊維状の廃木材粒子を主として含有する廃木材粉砕物及び前記廃木材粉砕物より少ない量の高吸水性樹脂を含む」ものであるのに対し、引用発明は、「吸水性樹脂及び吸水性材料粉」のものである点（以下、「相違点１」という。）
（イ）　本件補正発明の吸収体は、「少なくともその一方の面に、平面形状で半径が４乃至８ｍｍの円形を有する円筒状若しくは円錐状、平面形状で半径が一辺の長さが４乃至８ｍｍの四角形の角柱状若しくは角錐状又は平面形状で中心を横切る方向の長さが４乃至８ｍｍの多角形の角柱状若しくは角錐状の複数の突部、又は平面形状で半径が４乃至８ｍｍの円形を有する円筒状若しくは円錐状、平面形状で半径が一辺の長さが４乃至８ｍｍの四角形の角柱状若しくは角錐状又は平面形状で中心を横切る方向の長さが４乃至８ｍｍの多角形の角柱状若しくは角錐状の有底の穴状の複数の凹部が形成されている」ものであるのに対し、引用発明の吸収体は、エンボス機に送られ少なくともその一方の面にエンボスが形成されたものである点（以下、「相違点２」という。）
ウ　相違点の検討
（ア）　相違点１について
　引用発明における吸水性材料粉は、「木材パルプの粉砕物、古紙パルプの粉砕物、木粉、紙粉、紙おむつ廃材粉砕物、チタン紙又はパンチ屑などの屑紙の粉砕物或いはそれらの二以上の混合物」（摘示ア−１）、「また吸水性材料は、比較的高い吸水性を有する、機械パルプ、化学パルプ、セミケミカルパルプ、綿状パルプ等の木材パルプの粉砕物、古紙パルプの粉砕物、木粉、紙粉、紙おむつ廃材粉砕物、チタン紙又はパンチ屑などの屑紙の粉砕物或いはそれらの二以上の混合物である。これらの吸水性材料は、５ｍｍ以下の粒度、好ましくは３ｍｍ以下の粒度とするのが好ましい」（摘示ア−２）であって、さらに、綿状パルプを用いた具体例についても記載されている（摘示ア−５）ことからみて、引用発明における吸水性材料粉は、「３ｍｍ以下の粒度の繊維状の木材粒子を主として含有する木材粉砕物」に相当するものであるということができる。
　また、引用発明における吸水性樹脂については、「シーツの吸水性混合層部には、紙おむつ、生理用ナプキンや動物用シーツに、吸水性を保持させるために、高吸水性樹脂が配合された紙粉や綿状パルプが使用される。この場合の高吸水性樹脂の使用量は、生理用ナプキン及び動物用シーツの場合で、全量に対し、５乃至１５重量％、好ましくは、７乃至１０重量％であり、紙おむつの場合で、全量に対し、２０〜３０重量部％、好ましくは２４乃至２７重量％である」（摘示ア−３）からみて、「高吸水性樹脂」に相当するものであって、その使用量は、「木材粉砕物より少ない量」に相当する量であるということができる。
　そうすると、引用発明における上部及び下部吸水性紙層部間に配設される吸水性混合層部は、「３ｍｍ以下の粒度の繊維状の木材粒子を主として含有する木材粉砕物及び前記木材粉砕物より少ない量の高吸水性樹脂を含む」ものであるということができるから、結局、相違点１は、所定の粒度の繊維状の木材粒子について、本件補正発明が「廃木材粉砕物」からのものであるのに対し、引用発明では廃木材からのものであることが明らかでない点（相違点１’）に整理することができる。
　そして、相違点１’についてさらに検討すると、引用発明においては、吸水性材料粉として、古紙パルプや紙おむつ廃材粉砕物のような廃棄物を再利用することも記載されており、一方で、刊行物７には、廃木材の粉砕物を動物用敷きわらとすること（摘示イ−２及びイ−３）が、刊行物８には、吸水性材料粉として廃木材からの木粉を用いること（摘示ウ−１）が、刊行物９には、吸水性材料粉として、０．０１ｍｍ程度の粉末状の木粉を用いること（摘示ウ−１及びエ−２）がそれぞれ記載されている。
　したがって、これらの知見に基づけば、引用発明における所定の粒度の繊維状の木材粒子として廃木材粉砕物を用いることは、当業者が容易に想到することができたことであるから、結局、相違点１は、当業者が容易に想到することができたことである。
（イ）　相違点２について
　相違点２は、本件補正発明の吸収体の少なくともその一方の面に形成される突部及び凹部に係るものであって、そして、これらについては、上記３−１において指摘したとおり明確でなく特許法第３６条第６項第２号に規定する要件を満たさないものであるが、この出願の明細書及び図面の記載からみて、例えば突部が円柱状のものである場合には、【図２】及び【図３】のようなものであることを意味し、四角形又は多角形である場合は【図３】における円が四角形又は多角形であることを意味するものと解し、相違点２についての検討を行う。
　引用発明の吸収体は、エンボス機に送られて、少なくともその一方の面にエンボスを形成したものであって、ここで、形成されたエンボスが複数の突部又は複数の凹部であることは技術常識からみて明らかであるから、引用発明の吸収体も、少なくともその一方の面に複数の突部又は複数の凹部が形成されているということができる。
　そして、吸収体の少なくともその一方の面にエンボスを形成することで、複数の突部又は複数の凹部を形成することは、周知慣用の技術（例えば、前置報告書で周知文献としてあげられた特開昭５９−２０４９５５号公報（以下、「周知文献１」という。）の第８図、第９図及び第１１図も参照。）にすぎないものであるし、エンボスを形成して複数の突部又は複数の凹部を形成する際に、エンボスの形状等、すなわち、面に形成する複数の突部又は複数の凹部の形状等をどのようなものとするかは、当業者が適宜なし得る設計的事項にすぎないものであるから、結局、相違点２は、当業者が適宜なし得る設計的事項にすぎないものである。
エ　本件補正発明の効果について
　審判請求人は、相違点１に関連して、「廃物とされていた木粉を有効に利用することができる旨、また、相違点２に関連して、所定の形状の突部又は凹部とすることで、突部又は凹部に水をためることができ水を吸収しやすい吸収体とすることができる旨主張し、本件補正発明が顕著な作用効果を有するものであると主張するので検討する。
　しかしながら、既に指摘したとおり、引用発明においても、古紙パルプや紙おむつ廃材粉砕物のような廃棄物の再利用について言及しているところであるし、さらに、刊行物７〜９には、廃木材の粉砕物を有効利用することについて記載されているのであるから、引用発明における木粉を、廃材からのものとすれば、廃物とされていた木（粉）を有効に利用し得るという効果を得ることができることは、当業者であれば容易に予測し得ることである。
　さらに、吸収体の表面に（エンボス加工により）複数の突部又は複数の凹部を設けることで、吸収体の吸水性能を向上し得ることについては、周知文献１（３ページ左下欄１〜６行）などにあるとおり周知の効果であるし、また、複数の突部又は複数の凹部が水をためるための空間としても作用し得ることも、当業者であれば容易に予測し得ることである。
　しかも、この出願の明細書の記載（特に、実施例に係る段落【００４６】、【００４８】、【００４９】、【００５２】、【００５４】、【００６０】、【００６２】、【００６４】、【００７５】、【００８４】及び【００８７】）をみても、吸収体の少なくともその一方の面に形成される複数の突部又は複数の凹部の形状等を、本件補正発明のようなものとすることで、格別顕著な効果が得られているということもできない。
　そうすると、審判請求人が主張するような効果は、格別顕著なものでなく、当業者であれば十分に予測し得る程度のものである。
エ　小括
　以上のとおり、本件補正発明は、その出願前に日本国内において頒布された刊行物１、７、８及び９に記載された発明に基いて、その出願前に当業者が容易に発明をすることができたもので、特許法第２９条第２項の規定により特許を受けることができないものである。
　
４　むすび
　以上のとおり、本件補正発明は、特許出願の際独立して特許を受けることができるものではないので、本件補正は、平成１８年法律第５５号による改正前の特許法第１７条の２第５項において準用する同法第１２６条第５項の規定に違反し、その余のことを検討するまでもなく、同法第１５９条第１項の規定において読み替えて準用する同法第５３条第１項の規定により却下すべきものである。
　
　
第３　この出願の発明
　平成１７年７月１５日付けの手続補正は、上記のとおり却下されたので、この出願の発明は、平成１６年８月３０日付けの手続補正書により補正された明細書の記載からみて、その特許請求の範囲の請求項１〜３１に記載された事項により特定されるものであって、そのうち、請求項１及び請求項２は、下記のとおりである。
１　請求項１（以下、「本願発明１」という。）
「上面を形成する上部吸水性紙層部と、下面を形成する下部吸水性紙層部と、前記上部及び下部吸水性紙層部間に配設され、３ｍｍ以下の粒度の繊維状の廃木材粒子を主として含有する廃木材粉砕物及び前記廃木材粉砕物より少ない量の高吸水性樹脂を含む吸水性混合層部とを備えており、前記上部吸水性紙層部、吸水性混合層部及び下部吸水性紙層部は、合わせられて一体に形成されていることを特徴とする吸収体。」
２　請求項２  （以下、「本願発明２」という。）
「上面を形成する上部吸水性紙層部と、下面を形成する下部吸水性紙層部と、前記上部及び下部吸水性紙層部間に配設され、３ｍｍ以下の粒度の繊維状の廃木材粒子を主として含有する廃木材粉砕物及び前記廃木材粉砕物より少ない量の高吸水性樹脂を含む吸水性混合層部とを備えており、前記上部吸水性紙層部、吸水性混合層部及び下部吸水性紙層部は、合わせられて一体に形成されており、少なくともその一方の面に、３ｍｍ以上の大きさの複数の凹部又は凸部が形成されていることを特徴とする吸収体。」
　
　
第４　原査定の理由の概要
　原査定の理由は、本願発明１及び本願発明２は、その出願前日本国内又は外国において頒布された下記の刊行物１、７、８及び９に記載された発明に基いて、その出願前に当業者が容易に発明をすることができたものであるから、特許法第２９条第２項の規定により特許を受けることができない、という理由を含むものである。
　ここで、刊行物１、２、７、８及び９は、それぞれ、
刊行物１：特開平１０−３３７２３８号公報
刊行物７：特開平６−３９号公報
刊行物８：特開平１１−３０８９３５号公報
刊行物９：特開平５−２１１８２５号公報
であって、上記「第２」において引用された刊行物１、２、７、８及び９と同じものであり、そして、その記載事項は、上記「第２」に示したとおりである。
  　
　　
第５　当審の判断 
　本願発明１は、吸収体の少なくともその一方の面に所定の複数の突部又は所定の複数の凹部を形成することについて何ら特定しないものであり、また、本願発明２は、吸収体の少なくともその一方の面に３ｍｍ以上の大きさの複数の凹部又は凸部が形成されていることを特定したものであって、これらは、いずれも上記第２における本件補正発明を包含する発明である。
　しかしながら、本件補正発明は、上記「第２」の「３−２」において示したとおり、その出願前に日本国内において頒布された刊行物１、７、８及び９に記載された発明に基いて、その出願前に当業者が容易に発明をすることができたもので、特許法第２９条第２項の規定により特許を受けることができないものであるから、このような本件補正発明を包含する本願発明１及び本願発明２も、同様の理由で、その出願前に日本国内において頒布された刊行物１、７、８及び９に記載された発明に基いて、その出願前に当業者が容易に発明をすることができたもので、特許法第２９条第２項の規定により特許を受けることができないものである。
　
　
第６　むすび 
　以上のとおり、本願発明１及び本願発明２は、その出願前に日本国内において頒布された刊行物１、７、８及び９に記載された発明に基いて、その出願前に当業者が容易に発明をすることができたもので、特許法第２９条第２項の規定により特許を受けることができないものであるから、この出願は、その余について検討するまでもなく、拒絶すべきものである。
　よって、結論のとおり審決する。